(57)【特許請求の範囲】
【請求項１】
鉄骨鋼材の貫通用に使用される電気ドリルを固定するための鉄骨鋼材貫通用ドリルアダプターであって、
当該鉄骨鋼材貫通用ドリルアダプターを鉄骨鋼材に固定するための固定部と、
電気ドリルを電気ボーラーとして使用できるようにするボーラーアタッチメントを取り付ける取付部とを備え、
固定部は鉄骨鋼材へ差し込む差込部を備えた一対の相対する差込面と、差込部に差し込まれた鉄骨鋼材へ鉄骨鋼材貫通用ドリルアダプターを固定するための固定具を備えた固定面とをコ字形に形成するとともに、
取付部は差込部の差込方向に対して直交する方向であって差込面と固定面で形成されたコ字形の反差込側の端部に連接するようにして設けられた取付面と、取付面に当接するボーラーアタッチメントの一部を締結する締結具とを備えたことを特徴とする鉄骨鋼材貫通用ドリルアダプター。
【請求項２】
鉄骨鋼材の貫通用に使用される電気ドリルを固定するための鉄骨鋼材貫通用ドリルアダプターであって、
当該鉄骨鋼材貫通用ドリルアダプターを鉄骨鋼材に固定するための固定部と、
電気ドリルを電気ボーラーとして使用できるようにするボーラーアタッチメントを取り付ける取付部とを略Ｕ字形に備え、
固定部は鉄骨鋼材と当接する当接面と、当接面に当接する鉄骨鋼材へ鉄骨鋼材貫通用ドリルアダプターを固定するための固定具とを備えるとともに、
取付部は当接面と平行して設けられた取付面と、取付面に当接するボーラーアタッチメントの一部を締結する締結具とを備えたことを特徴とする鉄骨鋼材貫通用ドリルアダプター。
【発明の詳細な説明】
【技術分野】
【０００１】
本願発明は、鉄骨鋼材の貫通用に使用される電気ドリルを固定するためのアダプターに関するものである。
【背景技術】
【０００２】
特許文献１および２は、変電所内等にあってケーブルの終端部を収容するケーブルヘッドの架台（立鉄塔部材）に関係するものが開示されている。
詳しくは、特許文献１は、ケーブルヘッド支持部のパッキングを交換する際における作業性を改善することを目的とするものであり、ケーブルヘッド２に設けられた下部フランジ３は、予め短いボルト７により基板６に締め付け固定されており、パッキング８の交換の際は、短いボルト７に代えて長尺のガイドボルト１１の先端１１Ａを基板６にねじ込む。必要な数のガイドボルト１１をねじ込んだ後、ケーブルヘッド２をチェンブロック等で静かに矢印Ａ方向に下降させる。こうすれば、ケーブルヘッド２の下降量はガイドボルト１１の長さにより規制され、しかもケーブルの中心軸に沿って直線的に下降する。従って、ケーブルに無理な力が加わらず下支えのための架台等も必要としないものである。なお、符号は、特許文献１の図面に示すものである。
【０００３】
特許文献２は、高所架台上にあるケーブルヘッドの点検保守等の作業において、無胴綱状態にならないようにし、架台に設置された支柱へ親綱やパイプ等の横架部材を容易に取り付けて安全性を確保することを目的とするものであり、架台Ｐ上において作業員の胴綱Ｒを掛止する安全柵を形成するための胴綱掛け装置１であって、架台の両側に回動可能に取り付けた一対の支柱２ａ，２ｂを備え、両支柱の先端部には、親綱やパイプ等の横架部材Ｑを取り付けるための丸環フックを設ける。架台上において作業員の胴綱Ｒを掛止する安全柵を形成するための胴綱掛け取付方法であって、架台側面に回動可能に取り付けた一対の支柱２ａ，２ｂを起立回動させ、両支柱を架台側面の起立位置から架台Ｐに係止されない位置まで若干スライド上昇させ、支持軸を介して架台下側に回動させて支柱先端の丸環フックに親綱やパイプ等の横架部材Ｑを取り付けた後、両支柱を架台上側に起立回動させるものである。なお、符号は、特許文献２の図面に示すものである。
【０００４】
また、特許文献３〜１０は、洞道内に敷設するケーブルの支持部材（立金物）に関係するものが開示されている。
詳しくは、特許文献３は、矩形断面の洞道内の必要スペースを最小にし、低コストでメンテナンス性がよい電力ケーブルの布設方式を提供することを目的とするものであり、矩形断面の洞道２内に電力ケーブル３ａ〜ｃを蛇行させて布設する電力ケーブルの布設方式１において、洞道２の内側壁面２ｓに、電力ケーブル３ａ〜ｃを所定間隔で固定するためのクリート４を直接取り付けるものである。なお、符号は、特許文献３の図面に示すものである。
【０００５】
特許文献４は、とう道内の立金物に数段に分けて架設されている複数本のケーブルを同時により簡単に仮支持できることを目的とするものであり、複数の電気ケーブル３２を支持している立金物３１の交換の際の電気ケーブル３２の仮支持工具１であって、仮支持工具１は、３分割されていて、上部体の複数本のスプリング６と、中部体の筒体と、下部体のジャッキ１１とにより構成されており、仮支持工具１は、一体化されて、ジャッキ１１のジャッキアップにより、とう道内の天井部と床部の間に固定される構成になっており、仮支持工具１には、複数の電気ケーブル３２を支える着脱自在の複数のアーム１３を設置しており、仮支持工具１は、複数のアーム１３が電気ケーブル３２を支えるように当該電気ケーブル３２に接近して固定された後、ジャッキ１１のジャッキアップにより、複数の電気ケーブル３２を一度に持ち上げて支えるものである。なお、符号は、特許文献４の図面に示すものである。
【０００６】
特許文献５は、マンホール等の工事において、ケーブル類の損傷を防ぐようにすることを目的とするものであり、地下ケーブル等の中継施設であるマンホールＡ等において、その改造等を行う場合に、その工事に際してマンホールＡ内のケーブル類３が損傷を受けるのを防止するため、空気を注入、排出できるようにしたエアーバック７の多数をケーブル類３の全長にわたって巻き付けて空気を注入、エアバック７によってケーブル類３を防護し、工事終了後はエアバック７の空気を抜いて撤去するものである。なお、符号は、特許文献５の図面に示すものである。
【０００７】
特許文献６は、幹線道路の利用等を制限することなく、既設のケーブル敷設路を補強し、かつ、ケーブルの収納・点検作業が可能なスペースを確保することを目的とするものであり、ケーブル５が敷設されるケーブル敷設路１２を対象にする。ケーブル敷設路１２の内周面を補強する補強体１５と、該補強体１５に取り付けられ、ケーブル５を支持する立金物３とを有する。補強体１５の内周面を、その周方向に沿って箱抜きする。箱抜きされた部分に、立金物３を嵌合する。そして、ケーブル敷設路を補強するから、幹線道路から開削工事が不要にされ、幹線道路の利用等が制限されず、補強体に立金物が嵌合されているから、補強体の中空の断面積が立金物でさらに狭くなるのを抑さえ、ケーブルの収納・点検作業が可能なスペースを確保できるものである。なお、符号は、特許文献６の図面に示すものである。
【０００８】
特許文献７は、洞道内でケーブルをトラフ内等に収納するために、引入れられたケーブルを適当な高さまで作業性良く持上げることができる洞道内のケーブル持上げ装置を提供することを目的とするものであり、外周面に雄ねじが形成されたねじシャフト１０が軸心の回りに回転可能に保持され、洞道１２内に垂直に立設されている。またこのねじシャフト１０の上端部は、立金物１４から水平に突設された支持部材１５により支持固定されており、雄ねじには、側部にケーブル受け皿１７が取着されたナット１６が、上下方向にのみ変位可能に螺合されている。さらに、ねじシャフト１０の下端部にはハンドル１８が取付けられており、ハンドル１８を回すことにより、ねじシャフト１０が軸心の回りに回転するように構成されているものである。なお、符号は、特許文献７の図面に示すものである。
【０００９】
特許文献８は、同一形状の取付部材を使用でき、製作費が安価であり、取付作業性が向上したケーブル装架用支持具を提供することを目的とするものであり、円形洞道内の立金物に取付部材を該取付部材の長孔に挿通した固定ボルトを介して固定し、該取付部材の一端側に円形凹所を設け、この凹所の周方向に多数のＶ溝を設けると共に、前記取付部材に、外周方向に多数の山形突起を有する支持アームを前記Ｖ溝と該山形突起を係合させるとともに締結ボルトにより一体的に固定したものである。
【００１０】
特許文献９は、ブラケットを立金物に安定して装着でき、ケーブル固定位置の調整が可能で、かつ危険がないようにしたＣＡＢ用ケーブル支受装置を提供することを目的とするものであり、立金物１とブラケット２とケーブル取付バンド３とで構成されるＣＡＢ用ケーブル支受装置において、立金物１に設けた複数個のブラケット取付孔１２を円孔部１２ａとその下方に連通する角孔部１２ｂとよりなる形状の孔に形成したことを特徴とするものである。なお、符号は、特許文献９の図面に示すものである。
【００１１】
特許文献１０は、送電損失を防止するために、受金物を立金物から電気的に絶縁することにより、送電損失の発生を減少させるケーブル受装置を提供することを目的とするものであり、布設電力ケーブルを載置する受金物を立金物に固定する場合において、前記受金物の基部を二股に分岐して前記立金物を挟み込み、円筒体の両端に鍔部を設けた電気絶縁体を挿着したボルト・ナットにより前記受金物と立金物とを固定し、前記受金物と立金物間及び前記立金物とボルト間を電気的に絶縁したことを特徴とするケーブル受装置である。
【先行技術文献】
【特許文献】
【００１２】
【特許文献１】特開平０８  −０３３１７９号公報
【特許文献２】特開２００８−１９０２７８号公報
【特許文献３】特開２００２−３４５１１９号公報
【特許文献４】特開２０００−３５０３２１号公報
【特許文献５】特開平１１  −２５２７３０号公報
【特許文献６】特開平  ６  −０９３６２８号公報
【特許文献７】実開平  ６  −０４４３１４号公報
【特許文献８】実開平  ３  −０４０８２８号公報
【特許文献９】実開平  ３  −０３９３３４号公報
【特許文献１０】実開昭６２  −０３８０２７号公報
【発明の概要】
【発明が解決しようとする課題】
【００１３】
ところで、上記した立鉄塔部材や立金物等の鋼材に穴をあける際、電気ドリルを使用し貫通作業を行う。しかしながら、その際ドリルの刃先をすぐ破損させたり、又は力が入らず作業効率も非常に悪い状況であった。
そこで、第１に安全で、効率良く、誰でも同じように電気ドリルを使用して鋼材を貫通させることができることを目的として、本願発明を完成させるに至った。
【課題を解決するための手段】
【００１４】
上記目的を達成するために、本願発明の第１の発明は、鉄骨鋼材の貫通用に使用される電気ドリルを固定するための鉄骨鋼材貫通用ドリルアダプターであって、当該鉄骨鋼材貫通用ドリルアダプターを鉄骨鋼材に固定するための固定部と、電気ドリルを電気ボーラーとして使用できるようにするボーラーアタッチメントを取り付ける取付部とを備えたことを特徴とする鉄骨鋼材貫通用ドリルアダプターである。
第２の発明は、固定部は鉄骨鋼材へ差し込む差込部と、差込部に差し込まれた鉄骨鋼材へ鉄骨鋼材貫通用ドリルアダプターを固定するための固定具とを備えるとともに、取付部は差込部の差込方向に対して直交する方向に設けられた取付面と、取付面に当接するボーラーアタッチメントの一部を締結する締結具とを備えたことを特徴とする同鉄骨鋼材貫通用ドリルアダプターである。
第３の発明は、固定部は鉄骨鋼材と当接する当接面と、当接面に当接する鉄骨鋼材へ鉄骨鋼材貫通用ドリルアダプターを固定するための固定具とを備えるとともに、取付部は当接面と平行して設けられた取付面と、取付面に当接するボーラーアタッチメントの一部を締結する締結具とを備えたことを特徴とする同鉄骨鋼材貫通用ドリルアダプターである。
【発明の効果】
【００１５】
本願発明によれば、以下のような効果を有する。
まず、立鉄塔部材（Ｈ型鋼材・Ｃ型鋼材）に関しては、次の通りである。
（１）堅固に固定されるためドリルに振り回されず、非常に安全である。
（２）省力で貫通できる。
（３）貫通時間が大幅に短縮される。
（４）鋼材を垂直に貫通できる。
（５）鉄キリ（刃先）の耐用回数が増える。
（６）厚い鋼材でも貫通できる。
（７）狭い空間においても設置できれば省力でかんつうできる。
（８）作業効率が良い。
【００１６】
次に、立金物の補修（交換）に関しては、次の通りである。
（１）外れなくなったボルトの外径以上でくり抜き、金物本体を外すことができる。
（２）堅固に固定されるためドリルに振り回されず、非常に安全である。
【００１７】
また、立金物の補修（ドライピット施工個所補強）に関しては、次の通りである。
（１）躯体に金物を取り付けたまま貫通させ、新しいアンカーを打設できる。
（２）狭所でも施工できる。
（３）省力で貫通できる。
（４）鉄キリ（刃先）の耐用回数が増える。
（５）堅固に固定されるためドリルに振り回されず、非常に安全である。
（６）作業効率が良い。
（７）厚い鋼材でも貫通できる。
【図面の簡単な説明】
【００１８】
【図１】本願発明に係る第１の実施形態を示す説明図（１）。
【図２】本願発明に係る第１の実施形態を示す説明図（２）。
【図３】本願発明に係る第１の実施形態を示す説明図（３）。
【図４】本願発明に係る第２の実施形態を示す説明図（１）。
【図５】本願発明に係る第２の実施形態を示す説明図（２）。
【図６】本願発明に係る第２の実施形態を示す説明図（３）。
【発明を実施するための形態】
【００１９】
本願発明の実施形態を図面に基づいて説明する。
図１〜図３は、本願発明に係る第１の実施形態（第１実施形態）を示す説明図である。
図１は、鉄骨鋼材貫通用ドリルアダプターの全体構造を示す。図１に示すように、鉄骨鋼材貫通用ドリルアダプター１０は、鉄骨鋼材貫通用ドリルアダプター１０を鉄骨鋼材に固定するための固定部２０と、電気ドリル４０を電気ボーラーとして使用できるようにするボーラーアタッチメント５０を取り付ける取付部３０とを備える。
【００２０】
そして、固定部２０は鉄骨鋼材へ差し込む差込部２１を備えた一対の相対する差込面２３，２３と、差込部２１に差し込まれた鉄骨鋼材へ鉄骨鋼材貫通用ドリルアダプター１０を固定するための固定具２２を備える固定面２４とをコ字形に形成する。
また、取付部３０は差込部２１の差込方向に対して直交する方向であって差込面２３，２３と固定面２４で形成されたコ字形の反差込側の端部に連接するようにして設けられた取付面３１と、取付面３１に当接するボーラーアタッチメント５０の一部を締結する締結具３２とを備える。
【００２１】
図２は、鉄骨鋼材貫通用ドリルアダプターの使用状態を示す。図２に示すように、鉄骨鋼材貫通用ドリルアダプター１０は、Ｌ字形の鉄骨鋼材９０の一片に差込部２１を差し込んで鉄骨鋼材貫通用ドリルアダプター１０を固定する。そして、ボーラーアタッチメント５０を操作することで、電気ドリル４０の刃先４１で鉄骨鋼材９０に穴をあけて貫通させることができる。この時、鉄骨鋼材貫通用ドリルアダプター１０を使用せず単に電気ドリル４０のみを使用して鉄骨鋼材９０を貫通させる場合に比較して、第１に安全で、効率良く、誰でも同じように電気ドリル４０を使用して鉄骨鋼材９０に貫通穴を形成できる。
【００２２】
図３は、鉄骨鋼材貫通用ドリルアダプターの使用用途を示す。図３に示すように、変電所内等にあってケーブルの終端部を収容するケーブルヘッド９１の架台（立鉄塔部材：コ字形鋼材）９２に箱形の補強用リブ９３を取り付ける場合がある。そして、この補強用リブ９３を取り付けるために、架台（立鉄塔部材：コ字形鋼材）９２に締結具用の貫通穴９４を形成する必要があり、このような場合に、鉄骨鋼材貫通用ドリルアダプター１０を架台（立鉄塔部材：コ字形鋼材）９２に固定することで、第１に安全で、効率良く、誰でも同じように電気ドリル４０を使用して貫通穴９４を形成できる。
【００２３】
図４〜図６は、本願発明に係る第２の実施形態（第２実施形態）を示す説明図である。
図４は、鉄骨鋼材貫通用ドリルアダプターの全体構造を示す。図４に示すように、鉄骨鋼材貫通用ドリルアダプター６０は、鉄骨鋼材貫通用ドリルアダプター６０を鉄骨鋼材に固定するための固定部７０と、電気ドリル４０を電気ボーラーとして使用できるようにするボーラーアタッチメント５０を取り付ける取付部８０とを略Ｕ字形に備える。
【００２４】
そして、固定部７０は鉄骨鋼材と当接する当接面７１と、当接面７１に当接する鉄骨鋼材へ鉄骨鋼材貫通用ドリルアダプター６０を固定するための固定具７２とを備える。
また、取付部８０は当接面７１と平行して設けられた取付面８１と、取付面８１に当接するボーラーアタッチメント５０の一部を締結する締結具８２とを備える。
【００２５】
図５は、鉄骨鋼材貫通用ドリルアダプターの使用状態を示す。図２に示すように、鉄骨鋼材貫通用ドリルアダプター６０は、Ｌ字形の鉄骨鋼材９５の一片に当接面７１を当接し鉄骨鋼材貫通用ドリルアダプター６０を固定する。そして、ボーラーアタッチメント５０を操作することで、電気ドリル４０の刃先４１で鉄骨鋼材９５に穴をあけて貫通させることができる。この時、鉄骨鋼材貫通用ドリルアダプター６０を使用せず単に電気ドリル４０のみを使用して鉄骨鋼材９５を貫通させる場合に比較して、第１に安全で、効率良く、誰でも同じように電気ドリル４０を使用して鉄骨鋼材９５に貫通穴を形成できる。
【００２６】
図６は、鉄骨鋼材貫通用ドリルアダプターの使用用途を示す。図６に示すように、洞道内に敷設するケーブル９６の支持部材（立金物）９７を補修する場合がある。その補修としては、支持部材（立金物）９７を交換する場合があり、支持部材（立金物）９７を壁面に固定している外れなくなったボルト９８の外周部分をくり抜き、金物本体を外す必要がある。このような場合に、鉄骨鋼材貫通用ドリルアダプター６０を支持部材（立金物）９７に固定することで、第１に安全で、効率良く、誰でも同じように電気ドリル４０を使用して外れなくなったボルト９８の外周部分のくり抜きを形成できる（ボルト部分を残して穴をあけられる）。また、その他の補修としては、既存の支持部材（立金物）９７に新たなアンカーを打設する場合があり、支持部材（立金物）９７にアンカー用の貫通穴９９を形成する必要がある。このような場合に、鉄骨鋼材貫通用ドリルアダプター６０を支持部材（立金物）９７に固定することで、第１に安全で、効率良く、誰でも同じように電気ドリル４０を使用して貫通穴９９を形成できる。
【産業上の利用可能性】
【００２７】
本願発明は、鉄骨鋼材の貫通用に使用される電気ドリルを固定するためのアダプターとして幅広く利用できるものである。特に、変電所内等にあってケーブルの終端部を収容するケーブルヘッドの架台（立鉄塔部材）に箱形の補強用リブを取り付ける場合や、洞道内に敷設するケーブルの支持部材（立金物）を補修する場合に好適である。
【符号の説明】
【００２８】
１０  鉄骨鋼材貫通用ドリルアダプター
２０  固定部
２１  差込部
２２  固定具
３０  取付部
３１  取付面
３２  締結具
４０  電気ドリル
４１  刃先
５０  ボーラーアタッチメント
６０  鉄骨鋼材貫通用ドリルアダプター
７０  固定部
７１  当接面
７２  固定具
８０  取付部
９０  鉄骨鋼材
９１  ケーブルヘッド
９２  架台（立鉄塔部材：コ字形鋼材）
９３  補強用リブ
９４  貫通穴
９５  鉄骨鋼材
９６  ケーブル
９７  支持部材（立金物）
９８  ボルト
９９  貫通穴
【図１】
0005717083.tif 000002
【図２】
0005717083.tif 000003
【図３】
0005717083.tif 000004
【図４】
0005717083.tif 000005
【図５】
0005717083.tif 000006
【図６】
0005717083.tif 000007